(57)【特許請求の範囲】
【請求項１】
（Ａ）放射線を照射する放射線源と、
（Ｂ）前記放射線源から発生した放射線を通過させることにより放射線の位相を揃えるマルチスリットと、放射線の広がりを制限するコリメータとが重ね合わされて一体化して構成されるユニットと、
（Ｃ）放射線を吸収する縦方向に伸びる吸収体が横方向に配列されているとともに放射線を透過させるとタルボ干渉が生じる位相格子と、
（Ｄ）前記位相格子の自己像を検出する検出器がこの順に設けられており、
（Ｅ）前記ユニットと前記検出器との間に位置する被写体に対し放射線の照射方向と直交する方向に前記ユニットを移動させることにより、前記ユニットでコリメートされた放射線が被写体に入射する位置を変更させるユニット移動機構を備えることを特徴とする放射線位相差撮影装置。
【請求項２】
請求項１に記載の放射線位相差撮影装置において、
前記放射線源が前記ユニットに一体化されており、前記ユニット移動機構は、前記マルチスリット、前記コリメータおよび前記放射線源を一体的に移動させることを特徴とする放射線位相差撮影装置。
【請求項３】
（Ａ）放射線を照射する放射線源と、
（Ｃ１）放射線を吸収する縦方向に伸びる吸収体が横方向に配列されているとともに放射線を透過させるとタルボ干渉が生じる位相格子と、放射線の広がりを制限するコリメータとが重ね合わされて一体化して構成されるユニットと、
（Ｄ）前記位相格子の自己像を検出する検出器がこの順に設けられており、
（Ｅ）前記ユニットと前記検出器との間に位置する被写体に対し放射線の照射方向と直交する方向に前記ユニットを移動させることにより、前記ユニットでコリメートされた放射線が被写体に入射する位置を変更させるユニット移動機構を備えることを特徴とする放射線位相差撮影装置。
【請求項４】
請求項３に記載の放射線位相差撮影装置において、
前記放射線源から発生した放射線を通過させることにより放射線の位相を揃えるマルチスリットが前記放射線源と前記ユニットとの間に設けられていることを特徴とする放射線位相差撮影装置。
【請求項５】
請求項１ないし請求項４のいずれかに記載の放射線位相差撮影装置において、
前記ユニットの移動に同期して前記検出器を放射線の照射方向と直交する方向に移動させる検出器移動機構と、
前記ユニットおよび前記検出器を移動させながら連写して得られた複数の画像をつなぎ合わせて単一の画像を生成する画像結合部を備えることを特徴とする放射線位相差撮影装置。
【請求項６】
請求項１ないし請求項５のいずれかに記載の放射線位相差撮影装置において、
放射線を吸収する縦方向に伸びる吸収体が横方向に配列されている吸収格子が前記検出器における放射線の入射面を覆うように設けられていることを特徴とする放射線位相差撮影装置。
【発明の詳細な説明】
【技術分野】
【０００１】
本発明は、物体を透過した放射線の位相差を利用して物体の内部構造をイメージングする放射線位相差撮影装置に関し、特に、スキャン撮影を実行するタイプの放射線位相差撮影装置に関する。
【背景技術】
【０００２】
従来、物体に放射線を透過させて物体の内部構造をイメージングする放射線撮影装置として様々なものが考え出されている。このような放射線撮影装置の一般的なものとしては、物体に放射線を当て、物体を通過させることにより放射線の投影像を撮影するものである。このような投影像には、放射線を通しやすさに応じて濃淡が現れており、これが物体の内部構造を表している。
【０００３】
このような放射線撮影装置では、ある程度放射線を吸収する性質を有する物体しか撮影することができない。例えば生体軟部組織などは、放射線をほとんど吸収しない。一般的な装置でこのような組織を撮影したとしても、投影像にはほとんど何も写らない。このように放射線を吸収しない物体の内部構造をイメージングしようとするときは、一般的な放射線撮影装置では原理上の限界がある。
【０００４】
そこで、透過放射線の位相差を利用して物体の内部構造をイメージングする放射線位相差撮影装置が考え出されてきている。このような装置は、タルボ干渉を利用して物体の内部構造をイメージングする。
【０００５】
図１７は、放射線位相差撮影装置を説明している。放射線位相差撮影装置は、放射線を照射する放射線源と、放射線の位相を揃えるマルチスリットと、スダレ状のパターンを有する位相格子と、放射線を検出する検出器とを備えている。図１７の装置では、被写体は位相格子と検出器とに挟まれる位置に配置する構成となっている。マルチスリットは、縦長に伸びたスリットが横方向に配列して構成される。位相格子は、放射線を透過させにくい縦方向に伸びた遮蔽線が横方向に配列して構成されている。
【０００６】
放射線位相差撮影装置の原理について簡単に説明する。位相格子に位相の揃った放射線を照射すると、位相格子から特定の距離（タルボ距離）だけ離れた位置に位相格子の自己像が現れる。検出器は、この自己像が写り込むように位相格子との位置が調整されている。この自己像は、見た目は位相格子の影が映り込んだような像である。しかし、自己像は、放射線の干渉によって生じた干渉縞なのであり、単なる投影ではないことには注意が必要である。
【０００７】
位相格子と検出器との間に被写体を設置すると、位相格子を出射した放射線は、検出器で検出される前に被写体を透過するようになる。このとき検出器上に現れる自己像は、被写体を透過することによりわずかに乱れている。この乱れは、放射線が被写体を透過する間に位相がずれたことに起因している。
【０００８】
検出器で乱れた自己像を検出し、自己像に所定の画像処理を施せば、被写体を透過した放射線の位相差の分布を示す画像を生成することができる。この様な画像を透視画像と呼ぶことにする。放射線位相差撮影装置によれば、放射線を吸収しない被写体であっても被写体の内部構造を表した透視画像を生成することができる。
【０００９】
放射線位相差撮影装置に使われる検出器は、高価なものとなる。自己像が極めて微細なパターンでこれを捉えるには検出素子の微細化が必要だからである。自己像は、縞模様状のパターンであり、暗線が配列して構成されているが、この暗線の配列ピッチは自由に変更することができない。自己像は、光の干渉により生じる像である。したがって、位相格子に配列されている遮蔽線の配列ピッチは放射線の波長で決まる。被写体を透過させる必要性を考えると、放射線の波長はかなり短く設定する必要があり、その分、位相格子における遮蔽線の配列ピッチは小さくなる。したがって、自己像の暗線の配列ピッチも狭くなる。この様な微細な像を検出するには、それだけ空間分解能が高い検出器が必要となる。このような検出器は極めて高価である。
【００１０】
したがって、検出器が小さくても済むように、スキャン撮影を行う装置が考え出されている。すなわち、図１８に示すように検出器を被写体に対して移動させながら複数回の撮影を行うことにより、自己像を撮影しようとするものである。図１８によれば、検出器が小さすぎて一回の撮影では被写体の全てを撮影視野に収めることができない。しかし、検出器を動かしながら例えば３回の撮影を行い、このとき得られた３枚の自己像の断片をつなぎ合わせて１枚の自己像を得るようにすれば、検出器のサイズを小さくしても被写体全体に亘る吸収格子の自己像を得ることができる構成となる。検出器のサイズが小さければ、それだけ装置の製造コストを抑制することができる。
【００１１】
しかし図１８の様な構成にすると、被写体に対して無用な被曝が生じてしまう。放射線源から出力される放射線の広がりは、被写体の全域に放射線が届くように広いものとなっている。しかし、図１８に示すように、スキャン撮影の場合、被写体の全域を一度に撮影することはできないので、撮影は３回に分けて行われる。例えば１回目の撮影の場合、図１９に示すように、自己像の撮影に必要な放射線は、放射線源から図の下方向に広がって検出器に入射するもののみであり、図１９の斜線で示す放射線源から図の上方向に広がる放射線は、検出器で検出されない。したがって、斜線で示す放射線は、撮影に寄与しないのに被写体に照射されたいわば無用な放射線である。被写体が放射線照射により劣化する物性を有している場合や、被写体が生体の場合、この様な無用な放射線照射は避けるべきである。
【００１２】
スキャン撮影時において無用な放射線が被写体に照射することを避けるには、放射線を吸収するコリメータを設けるようにすればよいということになる（例えば特許文献１参照）。
【００１３】
なお、スキャン撮影でなくてもコリメータを設けた方がよい場合がある。被写体の一部だけを撮影するモードを設けたい場合がある。この様な場合、撮影に関係のない部分に放射が当たることがないようにコリメータを設けた方がよい。
【先行技術文献】
【特許文献】
【００１４】
【特許文献１】特開２０１２−２４３３９号公報
【発明の概要】
【発明が解決しようとする課題】
【００１５】
しかしながら、従来構成に係る装置は次のような問題点がある。
すなわち、コリメータを設けようとする装置構成が複雑になってしまうのである。
【００１６】
図２０は、従来装置にコリメータを設けようとしたときに生じる問題点について説明している。スキャン撮影の場合、検出器を被写体に対して動かしながら連写が行われるわけであるが、撮影時に必要となる放射線ビームのパスが各撮影で異なるのである。すなわち、１回目の撮影では、被写体の下側を通過するように放射線を照射しなければならず、２回目の撮影では被写体の中央を通過するように放射線を照射しなければならない。そして、３回目の撮影では被写体の上側を通過するように放射線を照射しなければならない。
【００１７】
つまり、スキャン撮影に係る装置にコリメータを設けようとすると、検出器に連動してコリメータを移動させる機構が必要となる。図１７ないし図２０では、位相格子と検出器との間に広い空間があり、移動式のコリメータを新たに設けることは容易のように思える。しかし、実際は、移動式のコリメータを設けるのはかなり難しい。というのも、各図は、位相格子と検出器との間にかなりの余裕があるように描かれているが、これは説明を分かりやすくするためであり、実際の装置では、位相格子と検出器との間がこれほど離れているとは限らない。また、放射線源、マルチスリット、位相格子および検出器の位置関係は、厳密に定まっている。これら構成を決まった位置関係にしないと、検出器上で位相格子の自己像が生じないのである。この様な位置的な制約があるのに移動式のコリメータを新たに設けるのは相当難しい。
【００１８】
スキャン撮影ではなく、被写体の一部だけ撮影を行いたい場合でも、同様な問題が生じる。すなわち、放射線を被写体の一部に当てて撮影しようとする場合、放射線の広がりを制限したい場合がある。この制限を実現するには、やはり装置にコリメータを設ける必要がある。このコリメータは移動式にする必要がある。コリメータを固定式にすると、被写体の撮影範囲を変更することができないからである。しかしながら、上述のように装置に移動式のコリメータを新たに設けるのは相当難しい。
【００１９】
本発明は、この様な事情に鑑みてなされたものであって、その目的は、放射線位相差撮影装置において、移動式のコリメータを簡単な機構で実現させることにある。
【課題を解決するための手段】
【００２０】
本発明は上述の課題を解決するために次のような構成をとる。
すなわち、本発明に係る放射線位相差撮影装置は、（Ａ）放射線を照射する放射線源と、（Ｂ）放射線源から発生した放射線を通過させることにより放射線の位相を揃えるマルチスリットと、放射線の広がりを制限するコリメータとが重ね合わされて一体化して構成されるユニットと、（Ｃ）放射線を吸収する縦方向に伸びる吸収体が横方向に配列されているとともに放射線を透過させるとタルボ干渉が生じる位相格子と、（Ｄ）位相格子の自己像を検出する検出器がこの順に設けられており、（Ｅ）ユニットと検出器との間に位置する被写体に対し放射線の照射方向と直交する方向にユニットを移動させることにより、ユニットでコリメートされた放射線が被写体に入射する位置を変更させるユニット移動機構を備えることを特徴とするものである。
【００２１】
［作用・効果］本発明によれば、簡単な機構を設けるだけで移動式のコリメータを放射線位相差撮影装置に設けることができる。すなわち、本発明によれば、コリメータとマルチスリットが一体化された構成となっている。従って、本発明のコリメータを移動させる場合は、マルチスリットも追従して移動することになる。
従来的な技術常識で言えば従来構成のマルチスリットは装置内に固定される構成となっている。マルチスリットを移動させる必要性が見いだされていなかったからである。本発明の発明者は、コリメータとマルチスリットを一体化させる構成を着想している。本発明の構成によれば、コリメータをマルチスリットとは独立して装置に設けるよりもはるかに装置構成が簡単となる。一方、マルチスリットを移動させる構成としても撮影に不具合が生じるということはない。
【００２２】
また、上述の放射線位相差撮影装置において、放射線源がユニットに一体化されており、ユニット移動機構は、マルチスリット、コリメータおよび放射線源を一体的に移動させればより望ましい。
【００２３】
［作用・効果］上述の構成によれば、放射線源とコリメータとの位置関係が保たれた構成となっている。したがって、コリメータを被写体に対して移動させると、放射線源もコリメータに追従して移動することになる。すると、コリメータの移動に関わらず放射線は常にコリメータに直交する方向から照射されることになる。この様にすると、常に強い線量で被写体の撮影が行えるようになる。
【００２４】
また、本発明に係る放射線位相差撮影装置は、（Ａ）放射線を照射する放射線源と、（Ｃ１）放射線を吸収する縦方向に伸びる吸収体が横方向に配列されているとともに放射線を透過させるとタルボ干渉が生じる位相格子と、放射線の広がりを制限するコリメータとが重ね合わされて一体化して構成されるユニットと、（Ｄ）位相格子の自己像を検出する検出器がこの順に設けられており、（Ｅ）ユニットと検出器との間に位置する被写体に対し放射線の照射方向と直交する方向にユニットを移動させることにより、ユニットでコリメートされた放射線が被写体に入射する位置を変更させるユニット移動機構を備えることを特徴とするものである。
【００２５】
［作用・効果］本発明は位相格子とコリメータとを一体化させても実現できる。すなわち、本発明によれば、コリメータと位相格子が一体化された構成となっている。従って、本発明のコリメータを移動させる場合は、位相格子も追従して移動することになる。
従来的な技術常識で言えば従来構成の位相格子は装置内に固定される構成となっている。位相格子を移動させる必要性が見いだされていなかったからである。本発明の発明者は、コリメータと位相格子を一体化させる構成を着想している。本発明の構成によれば、コリメータを位相格子とは独立して装置に設けるよりもはるかに装置構成が簡単となる。一方、位相格子を移動させる構成としても撮影に不具合が生じるということはない。
【００２６】
また、上述の放射線位相差撮影装置において、放射線源から発生した放射線を通過させることにより放射線の位相を揃えるマルチスリットが放射線源とユニットとの間に設けられていればより望ましい。
【００２７】
［作用・効果］上述の構成は本発明のより具体的な構成を示している。コリメータと位相格子が一体化された場合でも、マルチスリットを備えるような装置構成を採用することができる。
【００２８】
また、上述の放射線位相差撮影装置において、ユニットの移動に同期して検出器を放射線の照射方向と直交する方向に移動させる検出器移動機構と、ユニットおよび検出器を移動させながら連写して得られた複数の画像をつなぎ合わせて単一の画像を生成する画像結合部を備えればより望ましい。
【００２９】
［作用・効果］上述の構成は本発明のより具体的な構成を示している。検出器を移動させるようにすれば、検出器を小さくすることができる。スキャン撮影をすることにより広範囲について位相格子の自己像を撮影することができるからである。
【００３０】
また、上述の放射線位相差撮影装置において、放射線を吸収する縦方向に伸びる吸収体が横方向に配列されている吸収格子が検出器における放射線の入射面を覆うように設けられていればより望ましい。
【００３１】
［作用・効果］上述の構成は本発明のより具体的な構成を示している。吸収格子が検出器における放射線の入射面を覆うように設けられていれば、検出器の空間分解能が低くても位相格子の自己像をイメージングすることができる。
【発明の効果】
【００３２】
本発明によれば、簡単な機構を設けるだけで移動式のコリメータを放射線位相差撮影装置に設けることができる。従来的な技術常識で言えば従来構成のマルチスリットは装置内に固定される構成となっている。マルチスリットを移動させる必要性が見いだされていなかったからである。本発明の発明者は、コリメータとマルチスリットを一体化させる構成を着想している。本発明の構成によれば、コリメータをマルチスリットとは独立して装置に設けるよりもはるかに装置構成が簡単となる。一方、マルチスリットを移動させる構成としても撮影に不具合が生じるということはない。
【図面の簡単な説明】
【００３３】
【図１】実施例１に係るＸ線位相差撮影装置の全体構成を説明する機能ブロック図である。
【図２】実施例１に係るスキャン撮影について説明する模式図である。
【図３】実施例１の装置を構成する各部の位置関係を説明する模式図である。
【図４】実施例１に係るスキャン撮影時における各部の移動について説明する模式図である。
【図５】本発明の１変形例に係る装置を構成する各部の位置関係を説明する模式図である。
【図６】本発明の１変形例に係るスキャン撮影時における各部の移動について説明する模式図である。
【図７】本発明の１変形例が有する利点を説明する模式図である。
【図８】本発明の１変形例が有する利点を説明する模式図である。
【図９】本発明の１変形例に係る装置を構成する各部の位置関係を説明する模式図である。
【図１０】本発明の１変形例に係る装置を構成する各部の位置関係を説明する模式図である。
【図１１】本発明の１変形例に係る装置を構成する各部の位置関係を説明する模式図である。
【図１２】本発明の１変形例に係るスキャン撮影時における各部の移動について説明する模式図である。
【図１３】本発明の１変形例が有する利点を説明する模式図である。
【図１４】本発明の１変形例に係る装置を構成する各部の位置関係を説明する模式図である。
【図１５】本発明の１変形例に係る装置を構成する各部の位置関係を説明する模式図である。
【図１６】本発明の１変形例に係る装置を構成する各部の位置関係を説明する模式図である。
【図１７】従来構成の放射線位相差撮影装置の構成について説明する模式図である。
【図１８】従来構成の放射線位相差撮影装置の構成について説明する模式図である。
【図１９】従来構成の放射線位相差撮影装置の構成について説明する模式図である。
【図２０】従来構成の放射線位相差撮影装置の問題点について説明する模式図である。
【発明を実施するための形態】
【００３４】
以下、図面を参照しながら本発明を実施するための形態について説明する。Ｘ線は本発明に係る放射線に相当し、ＦＰＤは、フラットパネルディテクタの略である。
【実施例１】
【００３５】
図１は、本発明に係るＸ線位相差撮影装置１の全体構成を示している。本発明に係るＸ線位相差撮影装置の構成は、図１に示すように、被写体Ｍを載置する載置台２と、載置台２に向けてＸ線を照射するＸ線源３と、載置台２を透過してきたＸ線を検出するＦＰＤ４とを備えている。Ｘ線源３は、図１の紙面下側に向けてＸ線を照射する。このとき照射されるＸ線はある程度の広がりを持ったビームとなっている。ＦＰＤ４は、Ｘ線を検出する検出面を備えている。ＦＰＤ４は、細長状の形状をしている。図１における紙面貫通方向は、ＦＰＤ４の長手方向、紙面左右方向は、ＦＰＤ４の短手方向に相当する。ＦＰＤ４は、後述する位相格子５の自己像を検出する。ＦＰＤ４は本発明の検出器に相当する。
【００３６】
Ｘ線源３と載置台２の間には、タルボ干渉に関する種々の部品が取り付けられている。Ｘ線源３の近傍には、Ｘ線の位相を揃えるマルチスリットＳが設けられている。このマルチスリットＳは、Ｘ線を透過させない素材で構成され、縦方向に細長状の貫通孔が横方向に配列されている。したがって、マルチスリットＳに入射したＸ線の一部はこの貫通孔を通じてマルチスリットＳを通過することができる。マルチスリットＳにＸ線を透過させると、位相がバラバラだったＸ線の位相が揃い、Ｘ線のコヒーレント性が高まる。マルチスリットＳは、Ｘ線源３から発生したＸ線を通過させることによりＸ線の位相を揃える構成である。
【００３７】
Ｘ線源３と載置台２の間には、マルチスリットＳとは別に、位相格子５が設けられている。この位相格子５は、横方向に伸びた線状の吸収体が縦方向に配列されて構成されている。この吸収体は、Ｘ線を吸収する性質がある。したがって、位相格子５にＸ線を透過させると、吸収体に入射したＸ線は、そこで吸収され、２つの吸収体の間に入射したＸ線はそのまま透過する。ＦＰＤ４には、位相格子５のパターンを表した自己像が投影される。この自己像は、単なる位相格子５の投影像ではないことには注意が必要である。自己像は、位相格子５により干渉したＸ線がＦＰＤ４上で発生させた干渉縞なのである。自己像は、ＦＰＤ４により検出される。吸収体の伸びる方向は、図１の紙面左右方向に相当する。位相格子５は、Ｘ線を吸収する縦方向に伸びる吸収体が横方向に配列されているとともにＸ線を透過させるとタルボ干渉が生じる構成となっている。
【００３８】
自己像画像生成部１１は、ＦＰＤ４が出力するＸ線検出データに基づいて位相格子５の自己像をイメージングした自己像画像を生成する。自己像画像は、位相格子５の縞模様が写り込んだものとなっている。この自己像画像は、透視画像生成部１２に送出される。透視画像生成部１２は、自己像画像上の縞模様の乱れを解釈してＸ線の位相のズレをイメージングした透視画像を生成する。透視画像には、被写体Ｍの場所によって異なるＸ線の位相のズレが可視化されたものとなっており、被写体Ｍの内部構造を示したものとなっている。自己像画像生成部１１は、マルチスリットＳ（後述の移動ユニットＣ，Ｓ）およびＦＰＤ４を移動させながら連写して得られた複数の画像をつなぎ合わせて単一の画像を生成する。自己像画像生成部１１は本発明の画像結合部に相当する。
【００３９】
Ｘ線源３，マルチスリットＳ（後述の移動ユニットＣ，Ｓ），位相格子５，載置台２およびＦＰＤ４は、この順に配置される。図１の場合、載置台２が位相格子５とＦＰＤ４との間に設けられているが、マルチスリットＳと位相格子５の間に載置台２を設けるようにしてもよい。いずれにしてもＸ線源３，マルチスリットＳ，位相格子５およびＦＰＤ４の位置関係は、比較的厳密に決定される。ＦＰＤ４の検出面上に位相格子５の自己像を発生させるには、これら部品が所定の位置関係を有していなければならないからである。
【００４０】
コリメータＣは、Ｘ線を透過させない素材で構成され、細長状の窓を有している。Ｘ線はこの窓を通じてコリメータＣを通過することができる。コリメータＣは、マルチスリットＳと似たような構成となっているように思われるかもしれないが、次のような違いがある。マルチスリットＳは、複数の貫通孔が配列されているのに対し、コリメータＣは、単一の窓しか持たない。また、マルチスリットＳの貫通孔は、数μｍの横幅を有しているのに対し、コリメータＣの窓の横幅（長手方向と直交する方向の幅）は大きく、0.数ｍｍ〜数十ｍｍ程度である。コリメータＣの窓は、ＦＰＤ４の形状に即している。図１における紙面貫通方向は、窓の長手方向、紙面左右方向は、窓の短手方向に相当する。コリメータＣは、Ｘ線源３から照射されるＸ線のうち、ＦＰＤ４の検出面全域を照射するのに必要でない余計なＸ線が被写体Ｍに向かわないようにＸ線を制限する構成となっている。
【００４１】
＜本発明の特徴的な構成＞
本発明の特徴的な構成は、コリメータＣとマルチスリットＳが互いに重ね合わされて（貼り合わされて）一体化して移動ユニットＣ，Ｓを構成していることにある。コリメータＣを移動させるとマルチスリットＳがこれに追従して移動し、互いの位置関係は変化しない。コリメータＣの移動は移動ユニット駆動機構１３が実現する。この機構によりコリメータＣは、図１の紙面左右方向に移動することができる。移動ユニット駆動制御部１４は、移動ユニット駆動機構１３を制御する構成である。移動ユニット駆動機構１３は、移動ユニットＣ，ＳとＦＰＤ４との間に位置する被写体Ｍに対しＸ線の照射方向と直交する方向に移動ユニットＣ，Ｓを移動させる。これにより、移動ユニットＣ，ＳでコリメートされたＸ線が被写体Ｍに入射する位置が変更される。移動ユニット駆動機構１３は本発明のユニット移動機構に相当する。
【００４２】
本発明に係るＦＰＤ４も移動させることができる。ＦＰＤ４の移動はＦＰＤ移動機構１５が実現する。この機構によりＦＰＤ４は、図１の紙面左右方向に移動することができる。ＦＰＤ移動制御部１６は、ＦＰＤ移動機構１５を制御する構成である。ＦＰＤ移動機構１５は、移動ユニットＣ，Ｓの移動に同期してＦＰＤ４をＸ線の照射方向と直交する方向に移動させる構成である。ＦＰＤ移動機構１５は本発明の検出器移動機構に相当する。
【００４３】
主制御部２１は、ＣＰＵで構成され、各部１１，１２，１４，１６を実現するプログラムを実行する。各部１１，１２，１４，１６はそれぞれを担当する演算装置により実現されていてもよい。操作卓２５は、操作者の指示を入力する構成であり、表示部２６は、透視画像を表示する構成である。記憶部２７は、装置の制御に係るパラメータの一切を記憶している。
【００４４】
＜スキャン撮影について＞
本発明に係るＦＰＤ４は、コストを抑制する必要性から、細長状の形状となっている。したがって、被写体Ｍの狭い範囲しか一度に撮影することができない。したがって、本発明に係る装置は、ＦＰＤ４を動かしながら複数回に亘り撮影を繰り返すことで被写体全域の撮影を行う構成となっている。この様な撮影方法をスキャン撮影と呼ぶ。
【００４５】
図２は、本発明に係るスキャン撮影について説明している。図２の例では、３回に分けて被写体Ｍの撮影を行っている。１回目の撮影では、ＦＰＤ４は被写体Ｍの右側に位置している。このとき、被写体Ｍの右側について撮影される。２回目の撮影では、ＦＰＤ４は被写体Ｍの中央に位置している。このとき、被写体Ｍの中央について撮影される。３回目の撮影では、ＦＰＤ４は被写体Ｍの左側に位置している。このとき、被写体Ｍの左側について撮影される。１回目、２回目、３回目の撮影で得られた３つの画像断片を位置合わせしてつなぎ合わせれば、自己像画像を被写体Ｍの全域について得ることができる。このようなつなぎ合わせは、自己像画像生成部１１が実行する。
【００４６】
つなぎ合わせ処理によって生成された自己像画像には、位相格子５の自己像が写り込んでいるが、所々被写体Ｍの影響を受けて歪んでいる。Ｘ線が被写体Ｍを透過する間にＸ線の位相に差がついてしまい、この差が自己像の乱れとして現れているのである。自己像画像には、被写体全域に対応する自己像の乱れを表したものとなっているので、この自己像画像から被写体全域についての透視画像を生成することができる。ちなみに、自己像画像に現れる暗線の伸びる方向はＦＰＤ４の移動方向に対応している。これは、位相格子５の吸収体の伸びる方向がＦＰＤ４の移動方向に一致していることに起因する。
【００４７】
本発明に係る装置は、コリメータＣを設けているので、被写体Ｍに対する無用な被曝を抑制することができる。図３はその点について説明している。コリメータＣは、Ｘ線源３から見てマルチスリットＳの手前側に設けられており、ＦＰＤ４の検出面に入射するＸ線を窓から透過させ、それ以外のＸ線を吸収する構成となっている。しかし、スキャン撮影の実行中は、ＦＰＤ４は被写体Ｍに対して移動するので、ＦＰＤ４の検出面も伴って移動してしまう。
【００４８】
したがって、本発明に係る装置では、スキャン撮影の実行中に移動ユニットＣ，Ｓを移動させる構成となっている。図４は、スキャン撮影時における各部の位置関係を示したものとなっており、斜線で強調したコリメータＣ，マルチスリットＳから構成される移動ユニットＣ，ＳおよびＦＰＤ４が、スキャン撮影中に移動する。一方、斜線で強調していないＸ線源３，位相格子５および被写体Ｍはスキャン撮影中に移動しない。
【００４９】
図４の上段は、一連のスキャン撮影における１回目の撮影を示している。移動ユニットＣ，Ｓは、Ｘ線源３に対して図４の紙面下側に位置しているので、移動ユニットＣ，Ｓから出射するＸ線ビームは、下側に偏っている。このＸ線ビームは、被写体Ｍの下側を通過し、Ｘ線ビームの全ては、やはりＸ線源３に対して下側に位置しているＦＰＤ４に入射しそこで検出される。
【００５０】
図４の中段は、一連のスキャン撮影における２回目の撮影を示している。移動ユニットＣ，Ｓは、Ｘ線源３と同じ高さに位置しているので、移動ユニットＣ，Ｓから出射するＸ線ビームは、偏りがない。このＸ線ビームは、被写体Ｍの中央を通過し、Ｘ線ビームの全ては、やはりＸ線源３と同じ高さに位置しているＦＰＤ４に入射しそこで検出される。
【００５１】
図４の下段は、一連のスキャン撮影における３回目の撮影を示している。移動ユニットＣ，Ｓは、Ｘ線源３に対して図４の紙面上側に位置しているので、移動ユニットＣ，Ｓから出射するＸ線ビームは、上側に偏っている。このＸ線ビームは、被写体Ｍの上側を通過し、Ｘ線ビームの全ては、やはりＸ線源３に対して上側に位置しているＦＰＤ４に入射しそこで検出される。
【００５２】
このように、移動ユニットＣ，Ｓは、追い抜こうとするＦＤＰ４から逃げるように移動するとともに、ＦＰＤ４に追い抜かれた後はＦＰＤ４を追いかけるように移動し、各撮影のいずれの場合でもＦＰＤ４の検出面に入射するＸ線を透過させ、それ以外のＸ線を吸収する。スキャン撮影中の移動ユニットＣ，ＳとＦＰＤ４は同じ方向に移動するものの、移動距離は互いに異なっている。スキャン撮影においては、Ｘ線源３に近い移動ユニットＣ，ＳよりもＸ線源３から遠いＦＰＤ４の方が大きく移動する。これは、Ｘ線ビームが放射状に広がることに起因している。
【００５３】
以上のように、本発明によれば、簡単な機構を設けるだけで移動式のコリメータＣをＸ線位相差撮影装置に設けることができる。すなわち、本発明によれば、コリメータＣとマルチスリットＳが一体化された構成となっている。従って、本発明のコリメータＣを移動させる場合は、マルチスリットＳも追従して移動することになる。
【００５４】
従来的な技術常識で言えば従来構成のマルチスリットＳは装置内に固定される構成となっている。マルチスリットＳを移動させる必要性が見いだされていなかったからである。本発明の発明者は、コリメータＣとマルチスリットＳを一体化させる構成を着想している。本発明の構成によれば、コリメータＣをマルチスリットＳとは独立して装置に設けるよりもはるかに装置構成が簡単となる。一方、マルチスリットＳを移動させる構成としても撮影に不具合が生じるということはない。マルチスリットＳは、同じパターンが繰り返し配列されて構成されているから、マルチスリットＳの同じ部分を使い回してスキャン撮影を実行しても支障はないからである。
【００５５】
本発明は、上述の構成に限られず、下記のように変形実施することもできる。
【００５６】
（１）上述の構成によれば、コリメータＣとマルチスリットＳとが一体化した構成であったが、本発明はこの構成に限られない。図５に示すようにコリメータＣと位相格子５とを重ね合わせて（貼り合わされて）一体化させて移動ユニットＣ，５を構成するようにしてもよい。この場合、マルチスリットＳにはコリメータを設ける必要はない。
【００５７】
図６は、本変形例に係るスキャン撮影時における各部の位置関係を示したものとなっており、斜線で強調したコリメータＣ，位相格子５から構成される移動ユニットＣ，５およびＦＰＤ４が、スキャン撮影中に移動する。一方、斜線で強調していないＸ線源３，マルチスリットＳおよび被写体Ｍはスキャン撮影中に移動しない。
【００５８】
図６の上段、中段、下段に示すように、移動ユニットＣ，５を移動させることでＸ線ビームの方向に偏りを持たせながら撮影を実行する様子は図４で説明した実施例１と同様である。
【００５９】
図６に示すように、移動ユニットＣ，５は、追い抜こうとするＦＤＰ４から逃げるように移動するとともに、ＦＰＤ４に追い抜かれた後はＦＰＤ４を追いかけるように移動し、各撮影のいずれの場合でもＦＰＤ４の検出面に入射するＸ線を透過させ、それ以外のＸ線を吸収する。スキャン撮影中の移動ユニットＣ，５とＦＰＤ４は同じ方向に移動するものの、移動距離は互いに異なっているもの、図４で説明した実施例１と同様である。
【００６０】
このようにコリメータＣを位相格子５に設けると次のような利点がある。実は、コリメータＣは、できるだけＦＰＤ４側に配置した方が鮮明な透視画像を得ることができる。図７，図８はその理由について説明している。図７は、Ｘ線源３から照射したＸ線をコリメータで制限したあと、ある投影面に投影させる様子を示している。
【００６１】
Ｘ線源３は、ある焦点からＸ線を発生させているわけであるが、焦「点」といっても、実はある程度の広がりを有している。すなわち、図７に示すようにＸ線源３は、ある程度の広さを持ったＸ線発生範囲全体からＸ線を発生させているのである。透視画像を得ようとする場合は、Ｘ線は１点から発するのが理想である。しかし、実際は図７に示すように理想通りとはならない。
【００６２】
図７は、コリメータＣをＸ線源３の近くに置いた場合を示している。Ｘ線発生範囲の一端で生じたＸ線と他端で生じたＸ線がどのようにコリメータを通過して投影面に投影されるかを比較してみる。すると、Ｘ線発生範囲の一端で生じたＸ線が投影面に向かうときのパスとＸ線発生範囲の他端で生じたＸ線が投影面に向かうときのパスとが大きく食い違っていることが分かる。
【００６３】
図７の場合、投影面が投影されるコリメータの影を観察すると、窓枠に当たる部分がはっきりしていない。投影面において符号ｄで表した領域では、Ｘ線発生範囲の一端で生じたＸ線はコリメータに阻まれずに入射するが、他端で生じたＸ線はコリメータに阻まれて入射しないというような現象が起こっている。したがって、符号ｄで示した領域は、コリメータの影であるかないかはっきりしないグレーゾーンとなる。このようなグレーゾーンが投影されるような構成は鮮明な透視画像を得る上で望ましくない。
【００６４】
図８は、コリメータＣをＸ線源３から離して置いた場合を示している。Ｘ線発生範囲の一端で生じたＸ線と他端で生じたＸ線がどのようにコリメータを通過して投影面に投影されるかを比較してみる。すると、Ｘ線発生範囲の一端で生じたＸ線が投影面に向かうときのパスとＸ線発生範囲の他端で生じたＸ線が投影面に向かうときのパスとはさほど変わらないことが分かる。
【００６５】
図８の場合、図７の符号ｄで示したグレーゾーンがかなり小さくなっていることが分かる。このようにグレーゾーンが小さいことは鮮明な透視画像を得る上で望ましいことである。本発明の場合、マルチスリットＳよりも位相格子５の方がＸ線源３から離れている。したがって、本変形例のように位相格子５にコリメータＣを設けるようにした方が、鮮明な透視画像を得ることができるのである。
【００６６】
本発明は位相格子５とコリメータＣとを一体化させても実現できる。すなわち、本発明によれば、コリメータＣと位相格子５が一体化された構成となっている。従って、本発明のコリメータＣを移動させる場合は、位相格子５も追従して移動することになる。
【００６７】
従来的な技術常識で言えば従来構成の位相格子５は装置内に固定される構成となっている。位相格子５を移動させる必要性が見いだされていなかったからである。本発明の発明者は、コリメータＣと位相格子５を一体化させる構成を着想している。本発明の構成によれば、コリメータＣを位相格子５とは独立して装置に設けるよりもはるかに装置構成が簡単となる。一方、位相格子５を移動させる構成としても撮影に不具合が生じるということはない。位相格子５は、同じパターンが繰り返し配列されて構成されているから、位相格子５の同じ部分を使い回してスキャン撮影を実行しても支障はないからである。
【００６８】
（２）位相格子５にコリメータＣを設ける変形例のバリエーションとして、図９に示すようにマルチスリットＳを省略した構成が挙げられる。Ｘ線源３にはマルチスリットＳなしでも単独でコヒーレント性の高いＸ線が出力できるものがある。この様なＸ線源３は、図７，図８で説明したＸ線発生範囲にダイアモンド皮膜を等間隔に配置した構成となっており、ストライプ状のＸ線ビームを発生させる構成となっている。ストライプ状のＸ線ビームは広がる間に干渉し、位相の揃ったＸ線ビームとなる。したがって、図９の構成では、マルチスリットＳを省略してもタルボ干渉によるＸ線位相差をイメージングすることができる。
【００６９】
（３）実施例１の構成によれば、ＦＰＤ４の検出面には何も設けられていなかったが、本発明はこの構成に限られない。図１０に示すように、ＦＰＤ４の検出面を覆うように吸収格子を設けるようにしてもよい。吸収格子は、Ｘ線を吸収する細長状の吸収体がストライプ状に配列されて構成されており、位相格子５の自己像との間でモアレを発生させる格子である。ＦＰＤ４はこのモアレを検出することになる。本変形例に係る自己像画像生成部１１は、モアレの解析により自己像を再構成することができる。吸収格子は、Ｘ線を吸収する縦方向に伸びる吸収体が横方向に配列されている吸収格子がＦＰＤ４におけるＸ線の入射面を覆うように設けられている。
【００７０】
この場合、スキャン撮影と吸収格子の移動とを交互に繰り返すことにより被写体全体に亘るモアレ像が何度も撮影される。１度のスキャン撮影において、モアレが写り込むモアレ画像の断片が例えば３回撮影されるとする。これら３枚の断片の撮影はＦＰＤ４と吸収格子との位置関係は一定のまま実行される。得られた３枚の断片は自己像画像生成部１１でつなぎ合わされて被写体全体に亘るモアレ像が生成される。こうして１回目のスキャン撮影が終了し、一枚のモアレ像が生成される。変形例の構成では、ＦＰＤ４に対する吸収格子の位置関係を変えながら、２回目、３回目、４回目とスキャン撮影を実行し、そのたびに被写体全体に亘るモアレ像が生成される。自己像画像生成部１１は、これら一連のモアレ像に基づいて位相格子５の自己像画像を生成する。
【００７１】
本変形例によればＦＰＤ４の空間分解能が低くても位相格子５の自己像をイメージングすることができる。
【００７２】
（４）実施例１の構成によれば、移動ユニットは、コリメータＣおよびマルチスリットＳとで構成されていたが、本発明はこの構成に限られない。図１１に示すようにコリメータＣ，マルチスリットＳにＸ線源３を一体的に移動させるようにしてもよい。本変形例の移動ユニット３，Ｃ，Ｓは、Ｘ線源３をも含むと捉えることもできる。
【００７３】
図１２は、本変形例に係るスキャン撮影時における各部の位置関係を示したものとなっており、斜線で強調したＸ線源３，コリメータＣ，マルチスリットＳから構成される移動ユニット３，Ｃ，ＳおよびＦＰＤ４が、スキャン撮影中に移動する。このとき移動ユニット３，Ｃ，Ｓを構成する各部は相対的な位置関係を保ったまま移動する。一方、斜線で強調していない位相格子５および被写体Ｍはスキャン撮影中に移動しない。
【００７４】
また、実施例１の構成においては、スキャン撮影中における移動ユニットＣ，ＳとＦＰＤ４との移動速度は一定ではなかったが、本変形例に係るスキャン撮影の場合、移動ユニット３，Ｃ，ＳおよびＦＰＤ４は同方向に同一速度で移動する。したがって、スキャン撮影中の移動ユニット３，Ｃ，ＳとＦＰＤ４とは互いの相対位置を保った状態で移動する。
【００７５】
本変形例の場合、図１２の上段、中段、下段に示すように、移動ユニット３，Ｃ，Ｓを移動させてもＸ線ビームの出射方向に変化はなく、Ｘ線源３から発したＸ線は最短距離でＦＰＤ４に入射する。この構成は、Ｘ線ビームの方向に偏りを持たせながら撮影を実行する実施例１の構成とは異なる。
【００７６】
この様な構成とした利点について説明する。実施例１の場合、画像の断片を撮影する際にマルチスリットＳにＸ線を斜めに当てることがある。マルチスリットＳは、Ｘ線を確実に吸収できるように厚みを持った部材で構成されている。この様なマルチスリットＳを正面から見ると、図１３左側に示すようにあたかも厚みがなく、貫通孔が整然と並んでいるように見える。しかし、マルチスリットＳを斜め方向から見たとすると、図１３右側に示すようにマルチスリットＳの側面が見えるようになる。この事情は貫通孔の内部でも同じであるので、貫通孔の一部が閉塞したように見える。つまり、マルチスリットＳに対しＸ線を斜め方向に当てると、貫通孔を通過したＸ線の一部はマルチスリットＳの側面により吸収されてしまう。このような現象はＸ線をマルチスリットＳの正面から当てるときには起こりえない。
【００７７】
この様な事情から、Ｘ線をマルチスリットＳに直交する方向に当てた方が斜め方向に当てるよりもマルチスリットＳを通過するＸ線は多くなる。本変形例の場合、Ｘ線は常に直交する方向からマルチスリットＳに入射するので、常に強いＸ線量で断片の撮影ができ、各断片を撮影するときに露光不足が生じることがない。
【００７８】
（５）上述の変形例（４）では、移動ユニットはコリメータＣ，マルチスリットＳ，Ｘ線源３で構成されていたが、これにＦＰＤ４を加えてもよい。そうすることにより、図１に示すＦＰＤ移動機構１５およびＦＰＤ移動制御部１６を省略することができる。
【００７９】
（６）実施例１の構成では、マルチスリットＳのＸ線源３側の面にコリメータＣが設けられていたが、本発明はこの構成限られない。図１４に示すようにマルチスリットＳのＦＰＤ４側の面にコリメータＣを設けるようにしてもよい。
【００８０】
（７）上述の変形例（１），（２）の構成では、位相格子５のＸ線源３側の面にコリメータＣが設けられていたが、本発明はこの構成限られない。図１５に示すように位相格子５のＦＰＤ４側の面にコリメータＣを設けるようにしてもよい。
【００８１】
（８）実施例１の構成では、ＦＰＤ４はコンパクト化されていたが、本発明はこの構成に限られない。図１６に示すようにＦＰＤ４を大型なものとし、ＦＰＤ４の一部でＸ線を検出するようにしてもよい。この様な装置構成は、被写体Ｍの一部だけを撮影したい場合に有効である。本変形例の構成では、ＦＰＤ４を必ずしも移動させる必要はなく、ＦＰＤ移動機構１５およびＦＰＤ移動制御部１６を設ける必要は必ずしもない。
【００８２】
（９）その他、本発明に係る実施例１および変形例を組み合わせて実施するようにしてもよい。
【符号の説明】
【００８３】
Ｃ     コリメータ
Ｓ     マルチスリット
３     Ｘ線源（放射線源）
４     ＦＰＤ（検出器）
５     位相格子
１１   自己像生成部（画像結合部）
１３   移動ユニット駆動機構（ユニット移動機構）
１５   ＦＰＤ移動機構（検出器移動機構）
【図１】
0006424760.tif 000002
【図２】
0006424760.tif 000003
【図３】
0006424760.tif 000004
【図４】
0006424760.tif 000005
【図５】
0006424760.tif 000006
【図６】
0006424760.tif 000007
【図７】
0006424760.tif 000008
【図８】
0006424760.tif 000009
【図９】
0006424760.tif 000010
【図１０】
0006424760.tif 000011
【図１１】
0006424760.tif 000012
【図１２】
0006424760.tif 000013
【図１３】
0006424760.tif 000014
【図１４】
0006424760.tif 000015
【図１５】
0006424760.tif 000016
【図１６】
0006424760.tif 000017
【図１７】
0006424760.tif 000018
【図１８】
0006424760.tif 000019
【図１９】
0006424760.tif 000020
【図２０】
0006424760.tif 000021